(57)【特許請求の範囲】
【請求項１】
紫外線を放射する光源を有する治療具と、
前記光源に電力を供給する電源部を有する本体と、
前記治療具と前記本体とを電気的に接続する接続線と、を備え、
前記治療具は、操作者が手で握るための把手部と、前記電源部からの電圧を昇圧させて前記光源に印加する昇圧部と、を備え、
さらに、電力の周波数を高周波に変換する変調部を備え、前記変調部と前記昇圧部とにより、高周波で且つ高電圧の電力を前記光源に供給することを特徴とする、紫外線治療器。
【請求項２】
前記治療具は、前記光源の点灯の指示を入力するための指示部を、さらに備え、
前記指示部は、前記把手部の一方側に配置され、
前記昇圧部は、前記把手部の他方側に配置される、請求項１に記載の紫外線治療器。
【請求項３】
前記本体は、情報が入力される入力部と、前記光源の点灯を制御する制御部と、をさらに備え、
前記制御部は、前記指示部からの入力に基づいて、前記光源を点灯し、前記入力部に入力された情報に基づいて、前記光源を消灯する、請求項２に記載の紫外線治療器。
【請求項４】
前記治療具は、温度を検出する温度検出部を備え、
前記温度検出部は、前記光源と前記把手部との間に配置される、請求項１〜３の何れか１項に記載の紫外線治療器。
【発明の詳細な説明】
【技術分野】
【０００１】
本発明は、紫外線を放射する紫外線治療器に関する。
【背景技術】
【０００２】
従来、紫外線治療器として、皮膚に紫外線を照射するための紫外線治療器が、知られている（例えば、特許文献１及び２）。斯かる紫外線治療器は、患部の位置に対応して、紫外線を放射する部分の位置等を調整する必要がある。したがって、紫外線を患部に照射させる操作が煩雑であった。
【先行技術文献】
【特許文献】
【０００３】
【特許文献１】特開２００５−２９６５０４号公報
【特許文献２】特開２００８−７３１４８号公報
【発明の概要】
【発明が解決しようとする課題】
【０００４】
そこで、課題は、紫外線を患部に容易に照射することができる紫外線治療器を提供することである。
【課題を解決するための手段】
【０００５】
紫外線治療器は、紫外線を放射する光源を有する治療具と、前記光源に電力を供給する電源部を有する本体と、前記治療具と前記本体とを電気的に接続する接続線と、を備え、前記治療具は、操作者が手で握るための把手部と、前記電源部からの電圧を昇圧させて前記光源に印加する昇圧部と、を備え、さらに、電力の周波数を高周波に変換する変調部を備え、前記変調部と前記昇圧部とにより、高周波で且つ高電圧の電力を前記光源に供給する。
【０００６】
また、紫外線治療器においては、前記治療具は、前記光源の点灯の指示を入力するための指示部を、さらに備え、前記指示部は、前記把手部の一方側に配置され、前記昇圧部は、前記把手部の他方側に配置される、という構成でもよい。
【０００７】
また、紫外線治療器においては、前記本体は、情報が入力される入力部と、前記光源の点灯を制御する制御部と、をさらに備え、前記制御部は、前記指示部からの入力に基づいて、前記光源を点灯し、前記入力部に入力された情報に基づいて、前記光源を消灯する、という構成でもよい。
【０００８】
また、紫外線治療器においては、前記治療具は、温度を検出する温度検出部を備え、前記温度検出部は、前記光源と前記把手部との間に配置される、という構成でもよい。
【発明の効果】
【０００９】
以上の如く、紫外線治療器は、紫外線を患部に容易に照射することができる、という優れた効果を奏する。
【図面の簡単な説明】
【００１０】
【図１】一実施形態に係る紫外線治療器の全体斜視図である。
【図２】同実施形態に係る治療具の全体斜視図である。
【図３】同実施形態に係る治療具の全体正面図である。
【図４】同実施形態に係る治療具の内部構成を示す全体正面図である。
【図５】同実施形態に係る紫外線治療器のブロック図である。
【図６】同実施形態に係る紫外線治療器のＭＥＤ測定モードのフロー図である。
【図７】同実施形態に係るタッチパネルの表示を示す図である。
【図８】図７におけるタッチパネルの各部を示す図である。
【図９】同実施形態に係るタッチパネルの表示を示す図である。
【図１０】図９におけるタッチパネルの各部を示す図である。
【図１１】同実施形態に係るタッチパネルの表示を示す図である。
【図１２】同実施形態に係るタッチパネルの表示を示す図である。
【図１３】同実施形態に係るタッチパネルの表示を示す図である。
【図１４】同実施形態に係る紫外線治療器の照射（治療）モードのフロー図である。
【発明を実施するための形態】
【００１１】
以下、紫外線治療器における一実施形態について、図１〜図１４を参酌して説明する。なお、各図において、図面の寸法比と実際の寸法比とは、必ずしも一致しておらず、また、各図面の間での寸法比も、必ずしも一致していない。
【００１２】
図１に示すように、本実施形態に係る紫外線治療器１は、紫外線を放射する治療具２と、治療具２に電力を供給する本体４と、治療具２と本体４とを電気的に接続する接続線６とを備えている。そして、治療具２は、ハンディタイプ（片手で持つことが可能な構成）であって、操作者（例えば、医師、患者自身）により、接続線６が伸びる範囲で、本体４に対して自由に変位できる。
【００１３】
治療具２は、筐体２１と、接続線６の一端を保持する接続線保持部２２と、操作者が片手で握るための把手部２３とを備えている。また、本体４は、筐体４１と、接続線６の他端を保持する接続線保持部４２と、治療具２を保持する治療具保持部４３とを備えている。そして、本体４は、情報が入力される入力部４４と、情報を出力する出力部４５とを備えている。
【００１４】
治療具保持部４３は、治療具２の一部を収容して保持するために、上方側が開放された凹状に形成されている。また、本実施形態においては、本体４は、タッチパネル４０を備えており、タッチパネル４０は、入力部４４及び出力部４５の機能を備えている。
【００１５】
図２〜図４に示すように、治療具２は、紫外線を放射する光源２４と、光源２４から放射された紫外線を外部に放射するための放射窓２５と、光源２４から放射された紫外線を放射窓２５へ導く導光部２６とを備えている。そして、治療具２は、操作者が光源２４の点灯を指示するための指示部２７と、温度を検出する温度検出部２８とを備えている。また、治療具２は、光源２４を冷却する冷却部２９と、接続線６を経由して本体４から供給される電圧を昇圧させて光源２４に印加する昇圧部２０とを備えている。
【００１６】
光源２４は、紫外線（例えば、波長が２８０ｎｍ〜４００ｎｍの光）を放射するランプである。例えば、光源２４は、エキシマランプ（誘電体放電バリアランプ）である場合、クリプトンと塩素とを混合したガスによる波長が２２２ｎｍの光、キセノンと臭素ガスとを混合したガスによる波長が２８３ｎｍの光、キセノンと塩素ガスを混合したガスによる波長が３０８ｎｍの光等を照射する。
【００１７】
なお、光源２４は、ランプである、という構成だけでなく、ＬＥＤである、という構成でもよい。また、光源２４は、エキシマランプ（誘電体放電バリアランプ）である、という構成だけでなく、低圧水銀ランプ、フラッシュランプ、キセノンランプ、水銀ランプ等である、という構成でもよい。
【００１８】
導光部２６は、光源２４を内部に配置する筒状の反射体２６ａと、光源２４から放射された紫外線及び反射体２６ａの内周面で反射された紫外線を放射窓２５に導く導光路２６ｂとを備えている。導光路２６ｂは、放射窓２５を経由して患部を視認するための視認窓２６ｃを備えている。なお、視認窓２６ｃは、内面で、光源２４から放射される紫外線を反射するように構成されている。
【００１９】
指示部２７は、把手部２３の一方側（図３及び図４の上方側）に配置されている。具体的には、指示部２７は、操作者が把手部２３を握っている手の親指で操作できるように、把手部２３の一方側に配置されている。本実施形態においては、指示部２７は、押し釦スイッチであって、操作者に接触される釦２７ａと、釦２７ａを付勢する付勢体（例えば、バネ）２７ｂとを備えている。
【００２０】
温度検出部２８は、光源２４と把手部２３との間に配置されている。そして、温度検出部２８は、導光部２６の反射体２６ａに固定されている。本実施形態においては、温度検出部２８は、温度センサである。
【００２１】
冷却部２９は、治療具２の筐体２１の内部の空気を筐体２１の外部へ排出し、筐体２１の外部の空気を筐体２１の内部に給入することで、光源２４及び昇圧部２０を冷却している。本実施形態においては、冷却部２９は、ファンである。
【００２２】
昇圧部２０は、把手部２３の他方側（図３及び図４の下方側）に配置されている。したがって、図３及び図４に示すように、操作者が親指を上方に向けて把手部２３を握る際に、昇圧部２０は、把手部２３の真下に配置される。これにより、操作者の手にかかる負荷のうち、昇圧部２０の重量に起因して生じる治療具２の回転トルクは、小さくなる。
【００２３】
本実施形態においては、昇圧部２０は、変圧器であって、治療具２を構成する部材のうち最も重い部材である。例えば、昇圧部２０の重量は、治療具２の総重量の４０％〜６０％であって、例えば、４００ｇ〜６００ｇである。
【００２４】
なお、紫外線が照射される方向（図４の左右方向）においては、光源２４及び冷却部２９は、治療具２の一方側（図４の左側）に配置され、把手部２３及び昇圧部２０は、治療具２の他方側（図４の右側）に配置されている。また、紫外線が照射される方向と直交方向（図４の上下方向）においては、光源２４及び把手部２３は、治療具２の一方側（図４の上方側）に配置され、冷却部２９及び昇圧部２０は、治療具２の他方側（図４の下方側）に配置されている。
【００２５】
図５に示すように、本体４は、光源２４に電力を供給する電源部４６と、光源２４の点灯を制御する制御部４７とを備えている。本実施形態においては、本体４は、外部接続線（図示及び採番していない）に接続されることで、外部から電源部４６に電力が供給される構成である。しかしながら、本体４は、斯かる構成に限られず、電源部４６が発電する構成でもよい。
【００２６】
電源部４６は、冷却部２９に電力を供給する冷却電源部４６ａと、光源２４に電力を供給する光源電源部４６ｂと、光源電源部４６ｂの電力の周波数を高周波の電力に変換して、治療具２の昇圧部２０に供給する変調部４６ｃを備えている。例えば、変調部４６ｃは、インバータである。
【００２７】
本実施形態においては、冷却電源部４６ａは、商用電源から電力が供給されているため、商用電圧（１００Ｖ〜２４０Ｖの交流電圧）及び商用周波数（５０Ｈｚ又は６０Ｈｚの周波数）の電力が供給されている。そして、冷却部２９は、冷却電源部４６ａから接続線６を経由して、商用電圧及び商用周波数の電力が供給される。
【００２８】
また、本実施形態においては、光源電源部４６ｂは、商用電源から電力が供給されているため、商用電圧及び商用周波数の電力が供給されている。そして、変調部４６ｃは、商用周波数を高周波（例えば、６０ｋＨｚ〜１００ｋＨｚ）に変換して、接続線６を経由して、昇圧部２０に電力を供給する。また、昇圧部２０は、商用電圧を高電圧（例えば、４．０ｋＶ〜５．０ｋＶ）に昇圧して、高周波で且つ高電圧の電力を光源２４に供給する。
【００２９】
ところで、本体４の変調部４６ｃが高周波に変換しているため、接続線６に印加される電圧が高い場合には、ノイズ（電磁雑音電波）を発生させてしまう。しかしながら、治療具２の昇圧部２０が光源２４に必要な高電圧まで昇圧するため、接続線６に印加される電圧を低くすることができる。したがって、ノイズの発生を抑制することができる。さらに、接続線６に印加される電圧を低くすることができるため、例えば、接続線６が断線した際等の危険度を低下させることができる。
【００３０】
制御部４７は、指示部２７、温度検出部２８、及び入力部４４等からの各情報を取得する取得部４７ａと、各情報を記憶している記憶部４７ｂと、各情報を演算する演算部４７ｃとを備えている。また、制御部４７は、冷却部２９の制御を行う冷却制御部４７ｄと、光源２４の制御を行う光源制御部４７ｅとを備えている。
【００３１】
取得部４７ａは、指示部２７から、操作者が光源２４の点灯を指示する点灯指示の情報を取得する。また、取得部４７ａは、温度検出部２８から、連続的又は断続的に、温度検出部２８で検出した温度の情報を取得する。そして、取得部４７ａは、入力部４４から、入力部４４に入力された情報を取得する。
【００３２】
入力部４４に入力される情報は、例えば、光源２４の現在の放射量（実測値、推測値）、選択するモード（照射モード（治療モード）、ＭＥＤ測定モード）、照射モードの設定値（照射量、照射時間、等）、ＭＥＤ測定モードの設定値（開始照射量、増加量、照射回数、各回の照射量、等）である。
【００３３】
演算部４７ｃは、取得部４７ａが取得した情報と記憶部４７ｂが記憶している情報とに基づいて、光源２４の点灯の情報を演算する。例えば、演算部４７ｃは、光源２４の現在の放射量と患部に照射すべき設定された照射量とに基づいて、光源２４の点灯時間（照射時間）を演算する。
【００３４】
冷却制御部４７ｄは、冷却電源部４６ａを制御することで、冷却部２９の稼働と停止とを切り替える。なお、冷却部２９は、光源２４が点灯している際に、稼働する。そして、冷却部２９は、光源２４が消灯した後、温度検出部２８で検出する温度が設定温度以下になるまで、稼働し続ける。
【００３５】
光源制御部４７ｅは、光源電源部４６ｂを制御することで、光源２４の点灯と消灯とを切り替える。そして、光源制御部４７ｅは、取得部４７ａが指示部２７から点灯指示の情報を取得した際に、光源２４を点灯させる。その後、光源制御部４７ｅは、演算部４７ｃが演算した情報（例えば、光源２４の点灯時間）に基づいて、光源２４を消灯させる。なお、光源制御部４７ｅは、温度検出部２８で検出する温度が上限温度以上である場合に、光源２４を消灯する、又は、消灯を維持する。
【００３６】
接続線６は、電源部４６（冷却電源部４６ａ）と冷却部２９とを電気的に接続する冷却電源線６１と、電源部４６（変調部４６ｃ）と昇圧部２０とを電気的に接続する光源電源線６２とを備えている。また、接続線６は、制御部４７（取得部４７ａ）と指示部２７とを電気的に接続する指示信号線６３と、制御部４７（取得部４７ａ）と温度検出部２８とを電気的に接続する温度信号線６４とを備えている。
【００３７】
本実施形態に係る紫外線治療器１の構成については以上の通りであり、次に、本実施形態に係る紫外線治療器１の動作のフローについて、図６〜図１４を参酌して説明する。なお、タッチパネル４０（入力部４４及び出力部４５）は、後述する各入力部４４ａ〜４４ｄ及び各出力部４５ａ〜４５ｉを備えている（図８及び図１０のみ符号が付されている）。
【００３８】
＜ＭＥＤ測定モード＞
白斑やアトピー皮膚炎等の疾病を、紫外線を照射して治療する際に、患者ごとに皮膚の最少紅斑量（ＭＥＤ）を算出することが求められている。最少紅斑量は、患者により個体差があるため治療に先立って検査する必要がある。患者の皮膚に、紫外線の照射強度が異なる複数の照射領域を形成し、皮膚の状態を、医師が目視で診察することにより判定される。そこで、まずは、ＭＥＤ測定モードについて説明する。
【００３９】
ＭＥＤ測定モードにおいては、図７に示すように、タッチパネル４０に、設定画面が表示されている。そして、照射条件が、入力部４４に入力される（Ｓ１）。具体的には、１回目の照射量（図７では、１００ｍＪ／ｃｍ２）が、開始照射量入力部４４ａに入力され、各回ごとに増加する照射量（図７では、５０ｍＪ／ｃｍ２）が、増加量入力部４４ｂに入力され、そして、照射回数（図７では、４回）が、照射回数入力部４４ｃに入力される。
【００４０】
なお、入力部４４に入力された情報は、出力部４５に出力されている。具体的には、１回目の照射量は、開始照射量出力部４５ａに出力され、各回ごとに増加する照射量は、増加量出力部４５ｂに出力され、そして、照射回数は、照射回数出力部４５ｃに出力されている。
【００４１】
その後、各回の照射量を演算する指示が、演算指示入力部４４ｄに入力されることで、制御部４７は、各回の照射量を演算する（Ｓ２）。そして、最大照射量が上限照射量（例えば、３０００ｍＪ／ｃｍ２）以下である場合（Ｓ３の「Ｙ」）、図９に示すように、タッチパネル４０の画面が、照射画面に切り替えられ、演算された各回の照射量が、複数の照射量出力部４５ｄにそれぞれ出力される。
【００４２】
例えば、図７に示すように、１回目の照射量が、１００ｍＪ／ｃｍ２であり、各回ごとに増加する照射量が、５０ｍＪ／ｃｍ２であり、照射回数が、４回である場合、図９に示すように、１回目の照射量は、１００ｍＪ／ｃｍ２であり、回数が増えるたびに、５０ｍＪ／ｃｍ２ずつ加算される。具体的には、２回目の照射量は、１５０ｍＪ／ｃｍ２であり、３回目の照射量は、２００ｍＪ／ｃｍ２であり、４回目の照射量は、２５０ｍＪ／ｃｍ２である。
【００４３】
そして、制御部４７が１回目の照射の照射時間を演算し（Ｓ４）、演算された照射時間が、照射時間出力部４５ｅに出力される。このとき、光源２４が消灯している状態（照射スタンバイ状態）であることが、照射状況出力部４５ｆに出力されている。
【００４４】
その後、光源２４の点灯の指示が指示部２７に入力されると（Ｓ５の「Ｙ」）、光源２４が点灯される（Ｓ６）。このとき、照射時間のうち、残り時間が、照射時間出力部４５ｅに出力され、光源２４が点灯している状態であることが、照射状況出力部４５ｆに出力され、そして、照射済みである照射量が、照射済み量出力部４５ｇに出力されている。その後、光源２４が照射時間だけ点灯した後に（Ｓ７の「Ｙ」）、光源２４が消灯される（Ｓ８）。
【００４５】
そして、照射済み回数が、１回加算され（Ｓ９）、図１２に示すように、照射済み回数が、照射済み回数出力部４５ｈに出力される。照射済み回数が、設定回数でない場合（Ｓ１０の「Ｎ」）、制御部４７が次の回の照射の照射時間を演算し（Ｓ４）、演算された照射時間が、照射時間出力部４５ｅに出力される。その後、各ステップ（Ｓ４〜Ｓ９）が繰り返され、照射済み回数が、設定回数となった場合（Ｓ１０の「Ｙ」）、ＭＥＤ測定モードが終了する。
【００４６】
ところで、照射条件が、各入力部４４ａ〜４４ｃに入力され（Ｓ１）、制御部４７が、各回の照射量を演算し（Ｓ２）、最大照射量が上限照射量を超える場合（Ｓ３の「Ｎ」）、図１３に示すように、設定異常であることが、異常出力部４５ｉに出力される（Ｓ１１）。このようにして、上限照射量を超える照射量が設定されることを防止している。なお、この場合、照射条件が、再度、各入力部４４ａ〜４４ｃに入力されることになる（Ｓ１）。
【００４７】
＜照射（治療）モード＞
次に、照射モードについて、簡単に説明する。照射モードにおいては、図１４に示すように、照射量が、入力部４４に入力されることで（Ｓ２１）、制御部４７が、照射時間を演算する（Ｓ２２）。その後、光源２４の点灯の指示が指示部２７に入力されると（Ｓ２３の「Ｙ」）、光源２４が点灯される（Ｓ２４）。そして、光源２４が照射時間だけ点灯した後（Ｓ２５の「Ｙ」）、光源２４が消灯され（Ｓ２６）、照射モードが終了する。
【００４８】
このように、操作者は、本体４で照射条件等を設定し、本体４から離れた後、治療具２の放射窓２５を患部に接近させ、指示部２７で点灯指示を入力すれば、紫外線を患部に照射することができる。したがって、操作者は、本体４で照射条件等を設定した後は、本体４から離れた位置で操作を続けることができる。また、操作者は、予め、開始照射量、増加量、照射回数を本体４で設定した後、ＭＥＤ測定を行うことにより、ＭＥＤ測定の照射量の設定ミスをすることなく、ＭＥＤ測定を確実、容易に実施することができる。
【００４９】
以上より、本実施形態に係る紫外線治療器１は、紫外線を放射する光源２４を有する治療具２と、前記光源２４に電力を供給する電源部４６を有する本体４と、前記治療具２と前記本体４とを電気的に接続する接続線６と、を備え、前記治療具２は、操作者が手で握るための把手部２３と、前記電源部４６からの電圧を昇圧させて前記光源２４に印加する昇圧部２０と、を備える。
【００５０】
斯かる構成によれば、紫外線を放射する光源２４を有する治療具２は、接続線６により、光源２４に電力を供給する電源部４６を有する本体４と、電気的に接続されている。そして、治療具２は、操作者が手で握るための把手部２３を備えている。これにより、操作者は、手で把手部２３を握って、治療具２を所望の位置で保持することで、紫外線を患部に容易に照射することができる。
【００５１】
また、治療具２は、電源部４６からの電圧を昇圧させて光源２４に印加する昇圧部２０を備えている。これにより、接続線６に印加される電圧を低くすることができるため、例えば、接続線６が断線した際等の危険度を低下させることができる。
【００５２】
また、本実施形態に係る紫外線治療器１においては、前記治療具２は、前記光源２４の点灯の指示を入力するための指示部２７を、さらに備え、前記指示部２７は、前記把手部２３の一方側に配置され、前記昇圧部２０は、前記把手部２３の他方側に配置される、という構成である。
【００５３】
斯かる構成によれば、治療具２は、光源２４の点灯を指示するための指示部２７を備えている。これにより、例えば、操作者は、治療具２を握って所望の位置で保持した状態で、治療具２の指示部２７から、光源２４の点灯の指示を入力することができる。これにより、紫外線を患部に適切に照射することができる。
【００５４】
ところで、昇圧部２０は、一般的に、重量物であり、また、操作者は、一般的に、指示部２７が上方側に位置するように、把手部２３を握る傾向にある。そこで、指示部２７は、把手部２３の一方側に配置されているのに対して、昇圧部２０は、把手部２３の他方側に配置されている。
【００５５】
これにより、操作者が把手部２３を握る際に、昇圧部２０が把手部２３の下方側に位置する傾向になる。したがって、操作者の手にかかる負荷のうち、昇圧部２０の重量に起因して生じる治療具２の回転トルクが、低減するため、操作者は、治療具２を所望の位置で保持し易い。
【００５６】
また、本実施形態に係る紫外線治療器１においては、前記本体４は、情報が入力される入力部４４と、前記光源２４の点灯を制御する制御部４７と、をさらに備え、前記制御部４７は、前記指示部２７からの入力に基づいて、前記光源２４を点灯し、前記入力部４４に入力された情報に基づいて、前記光源２４を消灯する、という構成である。
【００５７】
斯かる構成によれば、本体４は、入力部４４及び制御部４７を備えており、制御部４７は、指示部２７からの入力に基づいて、光源２４を点灯し、入力部４４に入力された情報に基づいて、光源２４を消灯する。これにより、例えば、本体４の入力部４４に、光源２４の点灯条件等を事前に入力した後に、治療具２の指示部２７を操作するだけで、患部に適切な量の紫外線を照射することができる。したがって、例えば、操作者は、本体４から離れたまま、光源２４の点灯操作を繰り返すことができる。
【００５８】
また、本実施形態に係る紫外線治療器１においては、前記治療具２は、温度を検出する温度検出部２８を備え、前記温度検出部２８は、前記光源２４と前記把手部２３との間に配置される、という構成である。
【００５９】
斯かる構成によれば、温度検出部２８は、光源２４と把手部２３との間に配置され、温度を検出している。これにより、例えば、把手部２３が高温になることを抑制することができるため、把手部２３を握る操作者の安全を確保することができる。
【００６０】
なお、紫外線治療器は、上記した実施形態の構成に限定されるものではなく、また、上記した作用効果に限定されるものではない。また、紫外線治療器は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６１】
上記実施形態に係る紫外線治療器１においては、治療具２は、光源２４の点灯の指示を入力するための指示部２７を備えている、という構成である。しかしながら、紫外線治療器は、斯かる構成に限られない。例えば、本体４は、光源２４の点灯の指示を入力するための指示部を備えている、という構成でもよい。
【００６２】
また、上記実施形態に係る紫外線治療器１においては、指示部２７は、把手部２３の一方側に配置され、昇圧部２０は、把手部２３の他方側に配置されている、という構成である。しかしながら、紫外線治療器は、斯かる構成に限られない。例えば、指示部２７は、把手部２３の一方側に配置され、昇圧部２０も、把手部２３の一方側に配置されている、という構成でもよい。
【００６３】
また、上記実施形態に係る紫外線治療器１においては、本体４は、情報が入力される入力部４４を備えている、という構成である。しかしながら、紫外線治療器は、斯かる構成に限られない。例えば、治療具２は、情報が入力される入力部を備えている、という構成でもよい。
【００６４】
また、上記実施形態に係る紫外線治療器１においては、本体４は、光源２４の点灯を制御する制御部４７を備えている、という構成である。しかしながら、紫外線治療器は、斯かる構成に限られない。例えば、治療具２は、光源２４の点灯を制御する制御部を備えている、という構成でもよい。
【００６５】
また、上記実施形態に係る紫外線治療器１においては、温度検出部２８は、光源２４と把手部２３との間に配置されている、という構成である。しかしながら、紫外線治療器は、斯かる構成に限られない。例えば、温度検出部２８は、光源２４の近傍に配置されている、という構成でもよく、把手部２３の近傍に配置されている、という構成でもよい。また、温度検出部２８は、備えられていない、という構成でもよい。
【符号の説明】
【００６６】
１…紫外線治療器、２…治療具、４…本体、６…接続線、２０…昇圧部、２１…筐体、２２…接続線保持部、２３…把手部、２４…光源、２５…放射窓、２６…導光部、２６ａ…反射体、２６ｂ…導光路、２６ｃ…視認窓、２７…指示部、２７ａ…釦、２７ｂ…付勢体、２８…温度検出部、２９…冷却部、４０…タッチパネル、４１…筐体、４２…接続線保持部、４３…治療具保持部、４４…入力部、４４ａ…開始照射量入力部、４４ｂ…増加量入力部、４４ｃ…照射回数入力部、４４ｄ…演算指示入力部、４５…出力部、４５ａ…開始照射量出力部、４５ｂ…増加量出力部、４５ｃ…照射回数出力部、４５ｄ…照射量出力部、４５ｅ…照射時間出力部、４５ｆ…照射状況出力部、４５ｇ…照射済み量出力部、４５ｈ…照射済み回数出力部、４５ｉ…異常出力部、４６…電源部、４６ａ…冷却電源部、４６ｂ…光源電源部、４６ｃ…変調部、４７…制御部、４７ａ…取得部、４７ｂ…記憶部、４７ｃ…演算部、４７ｄ…冷却制御部、４７ｅ…光源制御部、６１…冷却電源線、６２…光源電源線、６３…指示信号線、６４…温度信号線
【図１】
0006649613.tif 000002
【図２】
0006649613.tif 000003
【図３】
0006649613.tif 000004
【図４】
0006649613.tif 000005
【図５】
0006649613.tif 000006
【図６】
0006649613.tif 000007
【図７】
0006649613.tif 000008
【図８】
0006649613.tif 000009
【図９】
0006649613.tif 000010
【図１０】
0006649613.tif 000011
【図１１】
0006649613.tif 000012
【図１２】
0006649613.tif 000013
【図１３】
0006649613.tif 000014
【図１４】
0006649613.tif 000015